(57)【要約】【課題】簡単な養生方法により設置、撤去が容易になり、かつ保温性能および保湿性能を向上させることができる。【解決手段】コンクリート表面２ａに粘着部を介して貼り付けられるシート本体３と、シート本体３の表面３ａにアクリル系粘着剤４Ａが付着された粘着層４と、粘着層４に貼着される複数の空気袋５と、複数の空気袋５の表面側において、これら空気袋５を覆うように配置される養生シート６と、を備え、打設後のコンクリート２の表面２ａに被覆するようにして配置されるコンクリート養生構造１を提供する。【選択図】図１
2016087827.tif 000002
【特許請求の範囲】
【請求項１】
打設後のコンクリートの表面に被覆するようにして配置されるコンクリート養生構造であって、
コンクリート表面に粘着部を介して貼り付けられるシート本体と、
該シート本体の表面に付着された粘着層と、
該粘着層に貼着される複数の空気袋と、
を備えていることを特徴とするコンクリート養生構造。
【請求項２】
前記シート本体は、プラスチックフィルムからなることを特徴とする請求項１に記載のコンクリート養生構造。
【請求項３】
前記粘着層は、アクリル系粘着剤であることを特徴とする請求項１又は２に記載のコンクリート養生構造。
【請求項４】
複数の前記空気袋の表面側には、これら空気袋を覆うように養生シートが配置されていることを特徴とする請求項１乃至３のいずれか１項に記載のコンクリート養生構造。
【請求項５】
前記空気袋は、隙間なく重ね合わせて配置されていることを特徴とする請求項１乃至４のいずれか１項に記載のコンクリート養生構造。
【請求項６】
前記空気袋内には、アルゴンが封入されていることを特徴とする請求項１乃至５のいずれか１項に記載のコンクリート養生構造。
【請求項７】
打設後のコンクリートの表面に被覆するようにして養生するコンクリート養生方法であって、
シート本体を打設後のコンクリート表面に粘着部を介して貼り付ける工程と、
該シート本体の表面に粘着層を形成する工程と、
前記粘着層に複数の空気袋を貼着する工程と、
を有することを特徴とするコンクリート養生方法。
【発明の詳細な説明】
【技術分野】
【０００１】
本発明は、コンクリート養生構造およびコンクリート養生方法に関する。
【背景技術】
【０００２】
従来、コンクリート構造物において、長期耐久性を確保するためには、コンクリート養生が行われているのが一般的である。このようなコンクリート養生では、コンクリートの硬化熱に起因した熱応力によるひび割れの発生を低減するために、打設後のコンクリート表面を養生シートで覆って保温・保湿養生を実施している
ところで、トンネルの覆工コンクリートや側壁の場合には、コンクリート表面が高所となる部分が生じるため、養生用の特殊な足場を養生区間に設け、この足場を用いて養生シートの設置及び撤去などの作業を行っている（例えば、特許文献１参照）。
【先行技術文献】
【特許文献】
【０００３】
【特許文献１】特開２０１２−８７４８１号公報
【発明の概要】
【発明が解決しようとする課題】
【０００４】
しかしながら、従来のコンクリート養生方法では、以下のような問題があった。
すなわち、特許文献１に示すようなトンネル覆工コンクリートで行われる養生方法では、養生シートを設置してから撤去するまでの間、養生用の足場をその養生区間に残置させておくため、他の作業や設備に干渉しないようコンパクトな形状となっている。これにより、狭い足場上で、養生シートをコンクリート表面に設置したり撤去する作業となることから、時間と手間がかかっていた。
そのため、より高い保温性能や保湿性能を確保することができ、かつ施工の効率化が図れるコンクリート養生方法が求められており、その点で改善の余地があった。
【０００５】
本発明は、上述する問題点に鑑みてなされたもので、簡単な養生方法により設置、撤去が容易になり、かつ保温性能および保湿性能を向上させることができるコンクリート養生構造およびコンクリート養生方法を提供することを目的とする。
【課題を解決するための手段】
【０００６】
上記目的を達成するため、本発明に係るコンクリート養生構造は、打設後のコンクリートの表面に被覆するようにして配置されるコンクリート養生構造であって、コンクリート表面に粘着部を介して貼り付けられるシート本体と、該シート本体の表面に付着された粘着層と、該粘着層に貼着される複数の空気袋と、を備えていることを特徴としている。
【０００７】
また、本発明に係るコンクリート養生方法は、打設後のコンクリートの表面に被覆するようにして養生するコンクリート養生方法であって、シート本体を打設後のコンクリート表面に粘着部を介して貼り付ける工程と、該シート本体の表面に粘着層を形成する工程と、前記粘着層に複数の空気袋を貼着する工程と、を有することを特徴としている。
【０００８】
本発明では、シート本体を打設後のコンクリートの表面に粘着部を介して貼り付け、さらにそのシート本体の表面側に複数の空気袋を設けることで、コンクリート養生構造を設置することができる。しかも、シート本体がコンクリート表面に沿って密着して被覆されるので、保湿性能も確保できる。そして、シート本体の表面側に空気袋が重なって設けられているので、保温効果を向上させることができる。
したがって、本発明では、コンクリート中の水分を急速に逃がすことが抑制され、コンクリートの初期乾燥が生じるのを抑えることができ、ひび割れ等が発生するのを防止することができる。
【０００９】
また、本発明では、シート本体の表面に形成される粘着層によって空気袋が貼り付けられる構成であり、例えば取扱い易い大きさで軽量化された空気袋を用いることができるので、設置、撤去に伴う施工が容易になる利点がある。
さらに、養生完了後に空気袋の空気を抜くことで減容化することが可能となり、取扱いが容易になることから、撤去作業の効率を向上させることができる。
しかも、シート本体が粘着部を介してコンクリート表面に貼り付けられているので、養生後は、シート本体を容易に剥がして撤去することができる。また、空気袋も粘着層を介してシート本体に貼着されているので、養生完了後には空気袋を容易に剥がして撤去することができる。
【００１０】
また、本発明に係るコンクリート養生構造は、前記シート本体は、プラスチックフィルムからなることが好ましい。
【００１１】
また、本発明に係るコンクリート養生構造は、前記粘着層は、アクリル系粘着剤であることが好ましい。
【００１２】
また、本発明に係るコンクリート養生構造は、複数の前記空気袋の表面側には、これら空気袋を覆うように養生シートが配置されていることが好ましい。
【００１３】
この場合、空気袋がさらに養生シートに覆われるので、保温効果をより高めることができる。
【００１４】
また、本発明に係るコンクリート養生構造は、前記空気袋は、隙間なく重ね合わせて配置されていることが好ましい。
【００１５】
この場合には、複数の空気袋同士の間に隙間がなく、互いに密接しているので、保温効果の高い空気層を形成することができる。
【００１６】
また、本発明に係るコンクリート養生構造は、前記空気袋内には、アルゴンが封入されていることが好ましい。
【００１７】
この場合には、空気よりも保温性の高いアルゴンが封入された空気袋となるので、保温効果を向上させることができる。
【発明の効果】
【００１８】
本発明のコンクリート養生構造およびコンクリート養生方法によれば、取扱い易い簡単な構造とすることで、設置や撤去を容易に行うことができ、施工時間の短縮を図ることができる。しかも、シート本体と空気袋との組み合わせにより保温性能および保湿性能を向上させることができる。
【図面の簡単な説明】
【００１９】
【図１】本発明の実施の形態によるコンクリート養生構造の構成を示す部分断面図である。
【発明を実施するための形態】
【００２０】
以下、本発明の実施の形態によるコンクリート養生構造およびコンクリート養生方法について、図面に基づいて説明する。
【００２１】
図１に示すように、本実施の形態によるコンクリート養生構造１は、打設したコンクリート２の養生期間中にコンクリート表面２ａに被覆するようにして配置される。
【００２２】
コンクリート養生構造１は、コンクリート表面２ａに粘着部を介して貼り付けられるシート本体３と、シート本体３の表面３ａにアクリル系粘着剤４Ａが付着された粘着層４と、粘着層４に貼着される複数の空気袋５と、複数の空気袋５の表面側において、これら空気袋５を覆うように配置される養生シート６と、を備えている。
【００２３】
シート本体３は、例えばポリオレフィン系白色フィルム等のプラスチックフィルムからなるシート状の養生テープが用いられ、そのコンクリート２側の裏面には全面にわたってシート用粘着剤３１（粘着部）が塗布、あるいは貼着により施され、付着された状態となっている。具体的にシート用粘着剤３１の材料として、粘着層４と同様にアクリル系粘着剤が用いられる。シート本体３は、シート用粘着剤３１を介してコンクリート表面２ａに貼り付けられる。
【００２４】
粘着層４は、シート本体３の表面３ａの部分的な範囲にアクリル系粘着剤４Ａを吹き付けることにより塗布されている。この粘着層４は、シート本体３の表面３ａに対して空気袋５を固着させるために設けられるので、少なくとも空気袋５の一部が付着するように部分的に塗布されていればよい。
なお、アクリル系粘着剤４Ａとしては、ベースポリマーとしてアクリル系ポリマーを含んでいるものを用いる。具体的には、例えば特開２０１２−１１２２１４号公報に記載される材料を適用することができる。
【００２５】
空気袋５は、ポリエチレン製で袋状に形成されており、袋内には空気が封入され、粘着層４に接着されている。空気袋５は、隣り合うもの同士が隙間なく密接するように複数が配置され、これにより空気層を形成するもので、保温性能をもたせている。なお、空気袋５の内部には、空気に代えてより保温性の高いアルゴン（Ａｒ）を封入するようにしても良い。
また、空気袋５は、現場で容易に空気を注入して作ることができる例えば厚さ８０ｍｍ、幅３００ｍｍに形成され、複数が帯状に連なる構成とすることができる。そして、空気袋５の内部の空気量を調整することで、所望の保温温度に調整することができる。
【００２６】
養生シート６は、複数設けられる空気袋５の全体を覆うように敷設されている。
養生シート６としては、例えば一般的に用いられるブルーシート等のポリエチレンなどの合成樹脂シートが用いられている。
【００２７】
次に、上述したコンクリート養生構造およびコンクリート養生方法の作用について、図面に基づいて説明する。
図１に示すように、本実施の形態のコンクリート養生構造１は、シート本体３を打設後のコンクリート表面２ａにシート用粘着剤３１を介して貼り付け、シート本体３の表面３ａにアクリル系粘着剤４Ａを塗布して粘着層４を形成した後、その粘着層４に複数の空気袋５を互いに密接させた状態で貼着し、それら空気袋５を覆うように養生シート６を敷設することで設置することができる。
【００２８】
このように、本実施の形態では、プラスチックフィルムからなるシート本体３がコンクリート表面２ａに沿って密着して被覆されるので、保湿性能も確保できる。そして、シート本体３の表面３ａ側に空気袋５が重なって設けられているので、保温効果を向上させることができる。例えば、本実施の形態によるコンクリート養生構造１による養生シート６を用いた熱伝達率は、４．８Ｗ／ｍ２・℃であり、養生シート６を省略したときの熱伝達率は、５．９Ｗ／ｍ２・℃である。
したがって、コンクリート２中の水分を急速に逃がすことが抑制され、コンクリート２の初期乾燥が生じるのを抑えることができ、ひび割れ等が発生するのを防止することができる。
【００２９】
また、本実施の形態では、シート本体３の表面３ａに形成される粘着層４によって空気袋５が貼り付けられる構成であり、例えば取扱い易い大きさで軽量化された空気袋５を用いることができるので、設置、撤去に伴う施工が容易になる利点がある。
さらに、養生完了後に空気袋５の空気を抜くことで減容化することが可能となり、取扱いが容易になることから、撤去作業の効率を向上させることができる。
【００３０】
しかも、シート本体３がシート用粘着剤３１を介してコンクリート表面２ａに貼り付けられているので、養生後は、シート本体３を容易に剥がして撤去することができる。また、空気袋５もアクリル系粘着剤４Ａからなる粘着層４を介してシート本体３に貼着されているので、養生完了後には空気袋５を容易に剥がして撤去することができる。
【００３１】
また、本実施の形態では、複数の空気袋５の表面側に、これら空気袋５を覆うように養生シート６が配置されるので、保温効果をより高めることができる。
さらに、複数の空気袋５同士の間に隙間がなく、互いに密接した状態で配置されているので、保温効果の高い空気層を形成することができる。
【００３２】
上述のように本実施の形態によるコンクリート養生構造およびコンクリート養生方法では、取扱い易い簡単な構造とすることで、設置や撤去を容易に行うことができ、施工時間の短縮を図ることができる。しかも、プラスチックフィルムからなるシート本体３と空気袋５との組み合わせにより保温性能および保湿性能を向上させることができる。
【００３３】
以上、本発明によるコンクリート養生構造およびコンクリート養生方法の実施の形態について説明したが、本発明は上記の実施の形態に限定されるものではなく、その趣旨を逸脱しない範囲で適宜変更可能である。
【００３４】
例えば、本実施の形態では、養生シート６を複数配置された空気袋５の表面側を覆うように設けているが、この養生シート６を省略することも可能である。そして、養生シート６として、ブルーシートであることに限定されず、他の部材を使用してもよい。
【００３５】
また、本実施の形態では、空気袋５が隙間なく配置された構成としているが、必ずしもこれに限定されず、空気袋５同士の間に隙間が形成された状態、或いは互いに間隔をあけた状態で空気袋５を配置するようにしても良い。
【００３６】
また、本実施の形態では、粘着層４がシート本体３の部分的な範囲に塗布されているが、これに限らずシート本体３の全面にわたって塗布されていてもよい。要は、空気袋５が固着される範囲に塗布されていればよいのである。
【００３７】
また、本実施の形態では、シート本体としてプラスチックフィルムからなる部材のものを採用しているが、これに限らず、他の材質のシート本体を採用することも可能である。
さらに、本実施の形態では、アクリル系粘着剤４Ａを吹き付けにより塗布した粘着層としているが、これに限定されることはない。
【００３８】
さらにまた、シート本体３、養生シート６は、１つ（１枚）の部材であることに制限されず、コンクリート２の表面２ａの大きさ、形状に合わせて複数を組み合わせて使用するようにしてもかまわない。
また、空気袋５の形状、大きさ、数量などの構成についても、限定されることはなく、適宜設定することができる。
【００３９】
また、本実施の形態では、打設後のコンクリート２の表面２ａに対して、シート本体３、粘着層４、空気袋５を順次、施工することにより設ける養生方法としているが、このような施工手順であることに限定されることはない。例えば、シート用粘着剤３１を備えたシート本体３の表面３ａに粘着層４を介して複数の空気袋５を貼着してなる一体構造（コンクリート養生構造１）に予め作製しておくことも可能である。この場合、取扱いし易い適宜な大きさに分割されたコンクリート養生構造１を準備しておくことで、この製作されたコンクリート養生構造１を養生箇所に搬入して、コンクリート表面２ａに対して容易に設置することができる。
【００４０】
その他、本発明の趣旨を逸脱しない範囲で、上記した実施の形態における構成要素を周知の構成要素に置き換えることは適宜可能である。
【符号の説明】
【００４１】
１  コンクリート養生構造
２  コンクリート
２ａ  コンクリート表面
３  シート本体
３ａ  表面
４  粘着層
４Ａ  アクリル系粘着剤
５  空気袋
６  養生シート
３１  シート用粘着剤（粘着部）
【図１】
2016087827.tif 000003